(57)【特許請求の範囲】
【請求項１】
上流側に給水主管が水密状に連結され、この給水主管の直下流側から、前記給水主管が連通する状態で第１の水導出管部及び第２の水導出管部が分岐している分岐胴を備え、
前記第１の水導出管部に、この管部の流路を遮断する状態の流路遮断部材を水密状に内蔵し、かつ、この流路遮断部材に流量制御用の水導出流路を形成して、流量制御手段を構成して成るとともに、
前記流路遮断部材が、端部に外フランジ体を備えて、前記第１の水導出管部に挿通される有底筒体から成り、
さらに、前記流量制御用の水導出流路は前記有底筒体の底壁と筒壁の少なくとも一方に複数形成されており、かつ、前記第１の水導出管部における管端面に外フランジ体の嵌入保持凹部を形成して、この凹部に外フランジ体を水密状に内蔵して成る流量制御手段内蔵の分岐装置であって、
前記流量制御用の水導出流路が、前記第１の水導出管部及び第２の水導出管部の分岐空間内に位置することを特徴とする流量制御手段内蔵の分岐装置。
【発明の詳細な説明】
【０００１】
【発明の属する技術分野】
本発明は、流量制御手段を内蔵した分岐装置に関する。
【０００２】
【従来の技術】
例えば水洗トイレに対する給水配管の形態として、給水主管に分岐管を接続して、分岐管の一方の水導出管部に、貯水タンクへの給水用の水導出管を接続すると共に、分岐管の他方の水導出管部に、トイレ洗浄ノズルへの給水用の水導出管を接続する形態がとられることが多々ある。
【０００３】
この給水配管の実施に際して、貯水タンクとトイレ洗浄ノズルとに対して単純に給水分岐を行うと、貯水タンクへの給水時にトイレ洗浄を行う場合、トイレ洗浄ノズルへの給水量が少なくなる不都合があることから、貯水タンクへの給水量を絞るように流量比率を設定するようにしている。
【０００４】
即ち、貯水タンクへの給水には、多少の時間がかゝってもさほど問題がないことから、貯水タンクに対する分岐管の水導出管部に流量制御手段を内蔵して、トイレ洗浄ノズルへの給水量を確保するように流量比率を設定しているのである。
【０００５】
この他にも、多くの分野で分岐の給水形態がとられるが、何れにしても流量比率を設定する際には、分岐管に流量制御手段を内蔵する必要があり、従来では、流量制御手段として定流量弁を分岐管に内蔵して、この定流量弁による流量抵抗の設置により、流量比率を設定するようにしている。
【０００６】
【発明が解決しようとする課題】
しかしながら、上記の定流量弁は、部品点数が多くて構造が複雑であり、加えて、分岐管内部の構造も複雑になって、製品全体のコストアップを避け得ない点で問題があった。
【０００７】
本発明は、かゝる実情に鑑みて成されたものであって、その目的は、流量比率を容易に設定できる流量制御手段を構造簡単かつ安価なものにして、流量制御手段を内蔵した分岐装置を、大幅にコストダウンして提供する点にある。
【０００８】
【課題を解決するための手段】
本発明による流量制御手段内蔵の分岐装置は、上流側に給水主管が水密状に連結され、この給水主管の直下流側から、前記給水主管が連通する状態で第１の水導出管部及び第２の水導出管部が分岐している分岐胴を備え、
前記第１の水導出管部に、この管部の流路を遮断する状態の流路遮断部材を水密状に内蔵し、かつ、この流路遮断部材に流量制御用の水導出流路を形成して、流量制御手段を構成して成るとともに、
前記流路遮断部材が、端部に外フランジ体を備えて、前記第１の水導出管部に挿通される有底筒体から成り、
さらに、前記流量制御用の水導出流路は前記有底筒体の底壁と筒壁の少なくとも一方に複数形成されており、かつ、前記第１の水導出管部における管端面に外フランジ体の嵌入保持凹部を形成して、この凹部に外フランジ体を水密状に内蔵して成る流量制御手段内蔵の分岐装置であって、
前記流量制御用の水導出流路が、前記第１の水導出管部及び第２の水導出管部の分岐空間内に位置する点に特徴がある（請求項１）。
【０００９】
上記の特徴構成によれば、流路遮断部材に形成した水導出流路によって、一方の水導出管部に流量抵抗が形成されるのであって、この水導出流路による流量比率の設定は、簡単かつ容易に、しかも任意に設定することができる。
【００１０】
【００１１】
【００１２】
従って、有底筒体は、比較的容易に製造可能であることから、本発明によれば、製品開発期間の短縮を図り得るだけでなく、製品コストも安価に抑えることができる。
【００１３】
【発明の実施の形態】
以下、本発明の実施の形態を図面に基づいて説明する。図１は流量制御手段内蔵の分岐装置１を示し、図中の２は分岐胴で、雌ねじ部３が形成された水導入管部４と、それぞれ雄ねじ部５が形成された第１及び第２の水導出管部６，７とを備えている。
【００１４】
８は雌ねじ部３に螺着されたナット吊りで、螺着部には接着剤が塗布されて固定され、このナット吊り８に予め保持させた袋ナット９によって、かつ、パッキン１０を介して、給水主管１１が水密状に連結される。
【００１５】
１２は第１の水導出管部６に挿通される例えば貯水タンクへの給水用の水導出管で、この水導出管１２は、袋ナット１３を雄ねじ部５に締め込んで、パッキン１４を弾性変形させることで、水導出管部６に水密状に連結される。
【００１６】
１５はパッキンガイド、１６はニップルガイドで、第２の水導出管部７の雄ねじ部５に螺着され、螺着部には接着剤が塗布されて固定される。１７は回転ニップルで、予めニップルガイド１６内に、抜け出し不能の状態で回転可能に内装されており、シール用のＯリング１８を環状凹部に備えている。
【００１７】
１９は回転ニップル１７に螺着された接続口本体で、螺着部には接着剤が塗布されて固定される。２０は接続口本体１９に螺着されたワンタッチカプラで、例えばトイレ洗浄ノズルへの給水用の水導出管（フレキシブルチューブなど）２１が接続され、このトイレ洗浄ノズルを備えた水導出管２１と接続口本体１９とは、ニップルガイド１６まわりで自在に回転可能となっている。
【００１８】
上記の水導出管１２と回転ニップル１７のガイド１６とを装着するように構成された分岐装置１において、この内の水導出管１２を挿通するための第１の水導出管部６に流量制御手段２２を内蔵して、水導出管１２側への給水流量を絞るようにしている。
【００１９】
上記の流量制御手段２２は、第１の水導出管部６に、この管部６の流路を遮断する状態の部材２３を水密状に内蔵し、かつ、流路遮断部材２３に流量制御用の水導出流路ａを形成して成る。
【００２０】
具体的には、図２に示すように、流路遮断部材２３は、端部に外フランジ体ｂを備えて、第１の水導出管部６に挿通される有底筒体から成り、この有底筒体２３の底壁２３ａに複数個の水導出流路ａを形成する一方、第１の水導出管部６に対して、それの管端の流路内面側に、外フランジ体ｂの嵌入保持凹部（エッジの除去による面取り加工の凹部）ｃを形成し、かつ、この凹部ｃに、第１の水導出管部６に挿通された有底筒体２３の外フランジ体ｂを嵌入して、有底筒体２３に第１の水導出管部６を挿通し、雄ねじ部５に袋ナット１３を締め込んで、外フランジ体ｂをパッキン１４によって水密状に保持させている。
【００２１】
上記の構成によれば、有底筒体２３に形成した複数の水導出流路ａによって流量抵抗が発生して、水導出管１２への給水流量が絞られるのであって、従って、この水導出流路ａの流路面積を変更したり、個数を増やしたりすることで、第１及び第２の水導出管部６，７ひいては水導出管１２と回転ニップル１７への給水流量の比率を任意に設定することができる。
【００２２】
別の実施の形態による流量制御手段２２を図３に示している。この実施の形態では、有底筒体２３の筒壁２３ｂの内、底部側の一部を厚肉に形成して、この厚肉化によって形成される段部ｄを、水導出管１２の挿入位置を規制するための位置規制部とし、かつ、この厚肉の筒壁２３ｂに、例えば円形の抜き孔（図示する例では２個）による流量制御用の水導出流路ａ，ａを形成している。
【００２３】
かゝる構成の流量制御手段２２によれば、図１に示す流量制御手段２２に比較して、水導出管１２に流入する水の流れが複雑化する。即ち、図１に示す流量制御手段２２では、底壁２３ａの水導出流路ａを通して、水導入管部４から直接的に水が水導出管１２に導入されるのに対して、図３に示す流量制御手段２２では、水導入管部４からの水が底壁２３ａを迂回して、水導出管１２に流入することから、水流が複雑化する。
【００２４】
従って、図１及び図３に示す流量制御手段２２の水導出流路ａの面積が同じであっても、図３に示す流量制御手段２２では、流量抵抗が大きくなり、加えて、小径化することで、流量抵抗がより一層大きくなるのであり、これは延いては、より効率的に流量抵抗を発生させ得ることに繋がることになる。
【００２５】
参考例の流量制御手段２２を図４に示している。この参考例では、水導出管１２のフランジ１２ａを、袋ナット１３とパッキン１４とによって水密状に連結するものを対象にし、かつ、第１の水導出管部６の流路遮断部材２３を円板にして、この円板２３に複数個の流量制御用の水導出流路ａを形成する一方、第１の水導出管部６の管端面に、この円板２３の嵌入保持凹部ｃを形成して、この凹部ｃに円板２３を嵌め込み、雄ねじ部５に袋ナット１３を締め込んで、水導出管１２のフランジ１２ａを水密連結すると同時に、円板２３をパッキン１４によって水密状に保持するように構成している。
【００２６】
かゝる構成の流量制御手段２２によれば、流路遮断部材２３が単なる円板であることから、流量制御手段２２が構成的にシンプルなものとなる。
【００２７】
尚、水導出流路ａを円形の抜き孔によって形成しているが、四角形や長孔など形状は任意であり、また、図１及び図３に示す流量制御手段２２では、水導出流路ａを有底筒体２３の底壁２３ａにのみ、或いは、筒壁２３ｂにのみ形成しているが、水導出流路ａを底壁２３ａと筒壁２３ｂの両者に形成してもよい。
【００２８】
【発明の効果】
以上説明したように、請求項１記載の発明によれば、流路遮断部材に複数の水導出流路を形成して、これを一方の水導出管部に内蔵するだけの簡単な構成によって、簡単かつ容易に、しかも任意に流量比率の設定が可能な流量制御手段を得ることができるのであって、流量制御手段内蔵の分岐装置を安価に提供することができる。
【００２９】
特に、流路遮断部材を構造簡単に有底筒体にしたことから、流量制御手段内蔵の分岐装置を大幅にコスト削減して提供することができる。
【図面の簡単な説明】
【図１】  流量制御手段を内蔵した分岐装置の一例を示す断面図である。
【図２】  流量制御手段の分解断面図である。
【図３】  別の実施の形態による流量制御手段の断面図である。
【図４】  参考例による流量制御手段の断面図である。
【符号の説明】
４…水導入管部、６，７…水導出管部、２２…流量制御手段、２３…流路遮断部材（有底筒体）、２３ａ…底壁、２３ｂ…筒壁、ａ…水導出流路、ｂ…外フランジ体、ｃ…凹部。
【図１】
0004361187.tif 000002
【図２】
0004361187.tif 000003
【図３】
0004361187.tif 000004
【図４】
0004361187.tif 000005